(57)【特許請求の範囲】
【請求項１】
容器本体と、該容器本体に開閉自在に設けられる蓋体と、該蓋体の裏面に取り付けられ、該蓋体の止錠状態で上記容器本体の化粧料収納部を覆ってその内部を密閉するパッキン材とを備え、
該パッキン材には、その外周部分に、上記蓋体の閉止に伴って上記化粧料収納部内に挿入される筒状の環状突起を形成すると共に、該環状突起の形成位置より内方に、該環状突起を径方向へ移動可能とする伸縮継手部を形成し、
かつ、上記環状突起の径方向内方に位置させて、上記蓋体を該容器本体に止錠することで該環状突起を径方向外方へ押し出して上記化粧料収納部との間に挟み込む挟持機構を設け、
前記挟持機構が、前記蓋体に取り付けられて前記パッキン材を保持する円盤状の保持板と、この保持板の外周部に、前記環状突起との間で径方向に移動自在に設けられたリング部材とで構成され、このリング部材の外周に、上記蓋体の止錠に従って順次前記化粧料収納部の周面に接近するテーパ面が形成され、
上記蓋体の止錠に伴って上記環状突起が上記化粧料収納部の周面に圧接されることを特徴とする気密化粧料容器。
【発明の詳細な説明】
【０００１】
【発明の属する技術分野】
本発明は、携帯容易に化粧料を収納する気密化粧料容器に関する。
【０００２】
【従来の技術】
一般に、化粧料の携帯用に化粧料容器が用いられるが、この化粧料容器は、容器本体内に化粧料を収納すると共に、容器本体の後端部に開閉自在に蝶着される蓋体で容器本体上側を覆うようになっている。そして、容器本体と蓋体との前端部間に設けられるフック機構で蓋体の止錠状態が保持され、かつ、このフック機構を解除するための操作部が容器本体の前端部に設けられるのが一般的な構造となっている。
【０００３】
ところで、この種の化粧料容器では、蓋体の裏面にパッキン材を取付け、蓋体の閉止時にこのパッキン材で化粧料を充填した化粧皿の内部を密閉するようになっている。例えば、図７に示すように、蓋体１の裏面に取り付けたパッキン材２に、容器本体３に嵌合した化粧皿４の内径より若干大径の環状突起２ａを突設し、蓋体１を閉じることでこの環状突起２ａが化粧皿４内周面に対して圧入されるように構成することにより、この化粧皿４内部の気密状態を保持するようになっている。
【０００４】
【発明が解決しようとする課題】
しかしながら、かかる従来の気密化粧料容器にあっては上述したように、パッキン材２から突設した環状突起２ａを化粧皿４の内周面に圧入させることにより、この化粧皿４内部の気密保持を確保するようにしているが、この際、環状突起２ａの外径を化粧皿４の内径より若干大きく設定することにより、化粧皿４の内周面に対する圧入を確保する構成となっている。このため、蓋体１を開閉する都度、前記環状突起２ａが化粧皿４の内周面と擦れることになり、特に、蓋体１を容器本体３に開閉自在に取付けた図外の蝶番に近い部分の環状突起２ａの摩耗が大きく、したがってパッキン材２の損耗が激しくて短期間の使用で気密性能が劣化するおそれがあった。
【０００５】
また、前記環状突起２ａを化粧皿４の内周面に対して圧入する構成であることから、蓋体１を閉止する際に大きな閉じ力を必要とすると共に、蓋体１を閉止状態から開ける際には、前記環状突起２ａが化粧皿４内周面に圧接されている状態でパッキン材２が引上げられることとなるため、この化粧皿４の内部が負圧となり、この負圧に抗して蓋体１を開けるのにも大きな力が要り、これらのことから、蓋体１の開閉操作をスムーズに行うのが困難であるという課題もあった。
【０００６】
そこで、本発明はかかる従来の課題に鑑みて、蓋体を軽い操作性で開閉できるとともに、この開閉操作に伴うパッキン材の損耗を防止でき、その上、優れた気密性能を保証することができる気密化粧料容器を提供することを目的とする。
【０００７】
【課題を解決するための手段】
かかる目的を達成するために本発明は、容器本体と、該容器本体に開閉自在に設けられる蓋体と、該蓋体の裏面に取り付けられ、該蓋体の止錠状態で上記容器本体の化粧料収納部を覆ってその内部を密閉するパッキン材とを備え、該パッキン材には、その外周部分に、上記蓋体の閉止に伴って上記化粧料収納部内に挿入される筒状の環状突起を形成すると共に、該環状突起の形成位置より内方に、該環状突起を径方向へ移動可能とする伸縮継手部を形成し、かつ、上記環状突起の径方向内方に位置させて、上記蓋体を該容器本体に止錠することで該環状突起を径方向外方へ押し出して上記化粧料収納部との間に挟み込む挟持機構を設け、前記挟持機構が、前記蓋体に取り付けられて前記パッキン材を保持する円盤状の保持板と、この保持板の外周部に、前記環状突起との間で径方向に移動自在に設けられたリング部材とで構成され、このリング部材の外周に、上記蓋体の止錠に従って順次前記化粧料収納部の周面に接近するテーパ面が形成され、上記蓋体の止錠に伴って上記環状突起が上記化粧料収納部の周面に圧接される構成とする。
【０００８】
したがって、本発明の気密化粧料容器では、容器本体に対して蓋体を閉止し、さらにその後止錠する操作過程において、蓋体を閉止した際には、パッキン材の筒状の環状突起は化粧料収納部内に挿入されるのみであり、その後、蓋体を容器本体に対して止錠すると、この止錠操作によって挟持機構が、伸縮継手部を介して環状突起を径方向外方へ押し出して化粧料収納部との間に挟み込み、この挟み込みによって初めて環状突起が化粧料収納部の周面に圧接されるようになる。すなわち、蓋体を閉止しただけではパッキン材の環状突起は化粧料収納部との間で気密作用を呈することはなく、蓋体を容器本体に対して止錠することで初めて気密作用を発揮するようになっている。
【０００９】
さらに詳述すると、蓋体の閉止によって化粧料収納部内にパッキン材の環状突起が挿入される。この状態で、蓋体を容器本体に対して止錠すると、これら蓋体と容器本体とがさらに緊密化し、これにより挟持機構が環状突起を、伸縮継手部を介して径方向外方へ押し出すようになり、これにより環状突起が化粧料収納部側へと接近し、さらに挟持機構によって挟み込まれることでその周面に圧接するようになっている。このように、蓋体が容器本体に対して止錠されているときにのみ、環状突起を化粧料収納部の周面に圧接させるようにしたので、止錠状態にない蓋体の開閉操作時には、環状突起は化粧料収納部から離れていて、これと擦れ合うことがなく、開閉操作に伴うパッキン材の損耗を防止することができる。また、開閉操作する際に、化粧料収納部の周面と環状突起とが擦れることがないので、軽い操作性で蓋体を開閉することができる。
【００１０】
他方、蓋体を開ける際には、止錠の解除に伴って伸縮継手部が復原し、これにより挟持機構によって押し出されていた環状突起には化粧料収納部の周面から離れる方向の力が作用し、両者の圧接状態が緩和されるか、若しくは消失される。このような作用により、化粧料収納部内はその気密状態が解除されて外気と連通するようになり、蓋体を開ける際の化粧料収納部内の負圧化が阻止され、この面からも蓋体を軽いタッチで開けることができる。
【００１１】
以上のような優れた開閉操作性を実現しながらも、蓋体を容器本体に対して止錠することで挟持機構により環状突起を、伸縮継手部を介して外方へ押し出して化粧料収納部側へと接近させ、さらに挟み込んでその周面に圧接させて、この圧接により優れた気密性能を確保することができる。
【００１３】
保持板に対しリング部材を径方向に移動自在とすることにより、パッキン材の成形寸法誤差や、蓋体、容器本体、パッキン材、化粧料収納部、保持板相互間の組み付け寸法誤差などを、このリング部材の移動によって吸収しつつ、環状突起を化粧料収納部の周面全面に対して均等に圧接させることができ、信頼性の高い気密性能を確保することができる。
【００１４】
【発明の実施の形態】
以下、本発明の実施例を添付図面を参照して詳細に説明する。図１から図４は本発明の気密化粧料容器の第１実施例を示し、図１は蓋体を止錠した状態の断面図、図２は蓋体を閉止しただけの状態を示す要部拡大断面図、図３は蓋体を止錠した状態の要部拡大断面図、図４は保持板等の部品の分解斜視図である。
【００１５】
即ち、本実施例の気密化粧料容器１０は図１に示すように、容器本体１２と、この容器本体１２の後方端部に蝶番１４を介して蝶着される蓋体１６とを備える。前記容器本体１２は外周部分を覆う側壁１２ａと底面１２ｂとを備えた皿状を成しており、この容器本体１２内側に密接して化粧料Ｐを充填する、化粧料収納部としての化粧皿１８が嵌合される。前記化粧皿１８の上端周縁にはフランジ１８ａが形成され、このフランジ１８ａは前記側壁１２ａの内周縁上端に形成された凹部１２ｃに配置されることにより、フランジ１８ａ上面と側壁１２ａ上面とが面一に設定される。
【００１６】
前記蝶番１４は、容器本体１２の後端部中央に形成される凹部１４ａに、蓋体１６の後端部中央に形成される凸部１４ｂが嵌合され、これら凹部１４ａと凸部１４ｂとに跨がって両側から蝶番ピン１４ｃが挿入されることにより構成される。また、前記蓋体１６の先端部中央からフック１６ａが突設され、このフック１６ａは蓋体１６の閉止状態で容器本体１２の前端中央部に設けた係合突起１２ｄに係合されて両者を止錠する。そして、係合状態にある前記フック１６ａを解除するには、このフック１６ａの外側に形成された傾斜部１６ｂを上方に押上げることにより、前記係合突起１２ｄから離脱されるようになっている。
【００１７】
前記蓋体１６の裏面１６ｃにはパッキン材２０が取付けられ、蓋体１６の止錠状態でこのパッキン材２０によって化粧皿１８の内部を密閉するようになっている。前記パッキン材２０の中央部には、これに重ね合わせて保持板２２が配置されるようになっており、パッキン材２０の中央部に形成された開口部２０ａを、この保持板２２の中央部から突設される筒状凸部２２ａに嵌着し、この筒状凸部２２ａを蓋体１６の裏面１６ｃから突設される凸部１６ｄに圧入固定することにより、前記パッキン材２０は蓋体１６と保持板２２との間に挟持された状態でこの蓋体１６に取付けられる。保持板２２は、図４に示すように小径の円盤状に形成され、この保持板２２の外周部にリング部材２２ｂが嵌合される。前記保持板２２の外周部分に上段が小径となる第１段差部分２２ｃが形成される一方、前記リング部材２２ｂの内周部分に下段が小径となる第２段差部分２２ｄを形成し、これら第１，第２段差部２２ｃ，２２ｄが互いに上下方向に係合された状態で嵌合される。また、前記第１，第２段差部２２ｃ，２２ｄの嵌合部には径方向に所定の間隙δ1 が設けられ、リング部材２２ｂは保持板２２に対して前記間隙δ1 の範囲内で径方向に移動が可能となっている。
【００１８】
前記パッキン材２０の外周部分２０ｂは前記リング部材２２ｂの外周から突出されており、このリング部材２２ｂから突出されたパッキン材２０の外周部分２０ｂには、外周から所定距離だけ内方に入った部分の下面に、前記化粧皿１８の上端部内周面に沿って筒状の環状突起２４が一体に突設されている。前記環状突起２４は、容器本体１２を覆うように蓋体１６を閉止したのみの状態では、極端には図２に示すように、化粧皿１８内周面との間に若干の間隙δが設けられるように形成される。この間隙δは、限りなく小さくてよい。また、前記パッキン材２０には前記環状突起２４の形成部分より内方に位置する部分に、伸縮継手部としての環状薄肉部２６が形成され、この環状薄肉部２６によってパッキン材２０の外周部分２０ｂは径方向に移動可能となっている。更に、前記パッキン材２０の外周部分２０ｂは、環状突起２４の形成部分より外周部が蓋体１６の閉止から止錠にわたって前記化粧皿１８のフランジ１８ａ上面に当接される。
【００１９】
一方、前記リング部材２２ｂの外周には、蓋体１６に近付く方向、つまり図１中上方に向かって徐々に拡径される挟持機構としてのテーパ面３０を形成し、このテーパ面３０を前記環状突起２４の内周に当接させてある。
【００２０】
以上の構成により本実施例の気密化粧料容器１０にあっては、蓋体１６を閉じる際に、まず図２に示すように蓋体１６を軽く閉止した状態では、環状突起２４が化粧皿１８内に挿入されると共に、パッキン材２０の外周部分２０ｂが化粧皿１８のフランジ１８ａ上面に当接された状態となる。このとき、蓋体１６のフック１６ａは容器本体１２の係合突起１２ｄにまだ係合された状態にはなく、また、前記環状突起２４は化粧皿１８内周面との間に間隙δが設けられているため、パッキン材２０によって化粧皿１８内部が密閉されてはいない。
【００２１】
そして、かかる閉止状態から蓋体１６を押し下げてフック１６ａを係合突起１２ｄに止錠すると、前記パッキン材２０の外周部分２０ｂは前記フランジ１８ａ上面に押し付けられる。そしてこの際、この環状突起２４の内周面は、蓋体１６の押し下げにより保持板２２およびリング部材２２ｂが下降してこのリング部材２２ｂのテーパ面３０に沿って径方向外方に押し出され、この環状突起２４がテーパ面３０で化粧皿１８の上端部内周面との間に挟み込まれて圧接される。このように環状突起２４が化粧皿１８内周面に圧接されることにより、パッキン材２０は化粧皿１８内部を密閉して気密状態とする。
【００２２】
従って、本実施例の気密化粧料容器１０は、蓋体１６が容器本体１２に対して止錠された状態で初めて前記環状突起２４が化粧皿１８内周面に圧接される構造であるため、蓋体１６を閉じる際に環状突起２４が化粧皿１８の内周面に接触することがない。このため、蓋体１６が止錠されるまでは、前記環状突起２４が化粧皿１８内周面に擦られることがないため、パッキン材２０の損耗を防止でき、その耐久性を大幅に向上することができると共に、蓋体１６を軽いタッチでスムーズに閉じることができる。
【００２３】
一方、フック１６ａを係合突起１２ｄから解除して止錠状態にある蓋体１６を開ける際には、このフック１６ａの解除に伴って環状突起２４を化粧皿１８内周面との間に挟み込んでいたリング部材２２ｂが上昇し、これによって伸長状態にあった環状薄肉部２６が径方向内方へ収縮するように復原し、化粧皿１８内周面に強く押し当てられていた環状突起２４も化粧皿１８から離れるようになる。従って、前記環状突起２４が化粧皿１８内周面と擦れることがなく、蓋体１６をスムーズに開けることができる。この実施例では保持板２２に対して、リング部材２２ｂが間隙δ1 部分で移動が可能となっているため、リング部材２２ｂの外周に形成したテーパ面３０で環状突起２４の内側面を押圧する際に、前記リング部材２２ｂの移動によって環状突起２４を全周に亘って均等に押圧することができる。当該構成によれば、パッキン材２０の成形寸法誤差や、蓋体１６、容器本体１２、化粧皿１８、保持板２２等の組付け誤差を前記リング部材２２ｂの移動で吸収でき、そしてまた前記環状突起２４が化粧皿１８の内周面に圧接される力を全周で均等化することができる。従って、蓋体１６を止錠した際に、環状突起２４が化粧皿１８内周に片当りするのを防止することができ、この化粧皿１８の気密性をより向上することができる。
【００２４】
ところで、前記蓋体１６を開放するにあたっては、環状突起２４と化粧皿１８内周面との間の圧接が消失して空気が化粧皿１８内に進入するため、蓋体１６を持上げる際にこの化粧皿１８内部が負圧になるのを防止でき、この面からも蓋体１６を軽い操作力でスムーズに開けることができる。
【００２５】
図５，図６は本発明の第２実施例を示し、前記実施例と同一構成部分に同一符号を付して重複する説明を省略して述べる。尚、図５は図２に対応する要部拡大断面図、図６は図３に対応する要部拡大断面図である。
【００２６】
即ち、この実施例では断面が薄肉Ｕ字状に形成した環状ダイヤフラム２６ａによって伸縮継手部を形成してある。
【００２７】
従って、この実施例では前記ダイヤフラム２６ａの断面Ｕ字状部分が容易に伸縮でき、かつ、その伸縮量を大きく稼ぐことができる。このため、図５に示すように蓋体１６の閉止状態から図６の止錠状態とする際に、パッキン材２０の径方向外方への移動を容易にできるため、環状突起２４による化粧皿１８の密閉をより確実なものとすることができる。
【００３１】
【発明の効果】
以上説明したように、本発明の気密化粧料容器にあっては、容器本体に対して蓋体を閉止し、さらにその後止錠する操作過程において、蓋体を閉止した際には、パッキン材の筒状の環状突起は化粧料収納部内に挿入されるのみであり、その後、蓋体を容器本体に対して止錠すると、この止錠操作によって挟持機構が、伸縮継手部を介して環状突起を径方向外方へ押し出して化粧料収納部との間に挟み込み、この挟み込みによって初めて環状突起を化粧料収納部の周面に圧接させて、気密作用を発揮させることができる。
【００３２】
特に、蓋体が容器本体に対して止錠されているときにのみ、環状突起を化粧料収納部の周面に圧接させるようにしたので、止錠状態にない蓋体の開閉操作時には、環状突起は化粧料収納部から離れていて、これと擦れ合うことがなく、開閉操作に伴うパッキン材の損耗を防止することができる。また、開閉操作する際に、化粧料収納部の周面と環状突起とが擦れることがないので、軽い操作性で蓋体を開閉することができる。
【００３３】
また、蓋体を開ける際には、止錠の解除に伴って伸縮継手部が復原し、これにより挟持機構によって押し出されていた環状突起には化粧料収納部の周面から離れる方向の力が作用し、両者の圧接状態が緩和されるか、若しくは消失されることとなり、化粧料収納部内はその気密状態が解除されて外気と連通するようになり、蓋体を開ける際の化粧料収納部内の負圧化が阻止され、この面からも蓋体を軽いタッチで開けることができる。
【００３４】
以上のような優れた開閉操作性を実現しながらも、蓋体を容器本体に対して止錠することで挟持機構により環状突起を、伸縮継手部を介して外方へ押し出して化粧料収納部側へと接近させ、さらに挟み込んでその周面に圧接させて、この圧接により優れた気密性能を確保することができる。
【００３５】
さらに、保持板に対しリング部材を径方向に移動自在としたことにより、パッキン材の成形寸法誤差や、蓋体、容器本体、パッキン材、化粧料収納部、保持板相互間の組み付け寸法誤差などを、このリング部材の移動によって吸収しつつ、環状突起を化粧料収納部の周面全面に対して均等に圧接させることができ、信頼性の高い気密性能を確保することができる。
【図面の簡単な説明】
【図１】  本発明の第１実施例を示す蓋体を容器本体に止錠した状態の断面図である。
【図２】  本発明の第１実施例を示す蓋体を閉止した状態の要部拡大断面図である。
【図３】  本発明の第１実施例を示す蓋体を容器本体に止錠した状態の要部拡大断面図である。
【図４】  本発明の第１実施例を示す保持板等の部品を示す分解斜視図である。
【図５】  本発明の第２実施例を示す図２に対応する要部拡大断面図である。
【図６】  本発明の第２実施例を示す図３に対応する要部拡大断面図である。
【図７】  従来の化粧料容器を示す要部拡大断面図である。
【符号の説明】
１０  気密化粧料容器
１２  容器本体
１４  蝶番
１６  蓋体
１８  化粧皿
２０  パッキン材
２０ｂ  外周部分
２２  保持板
２４  環状突起
２６  環状薄肉部
２６ａ  環状ダイヤフラム
３０  テーパ面
【図１】
0003813207.tif 000002
【図２】
0003813207.tif 000003
【図３】
0003813207.tif 000004
【図４】
0003813207.tif 000005
【図５】
0003813207.tif 000006
【図６】
0003813207.tif 000007
【図７】
0003813207.tif 000008